(57)【要約】      （修正有）【課題】第１群の中央部で合焦するインナーフォーカス方式を採用しながら、第１レンズ群の構成を簡略化し、小型化を可能にしたズームレンズを提供する。【解決手段】物体側より順に正の屈折力の第１レンズ群Ｆ、ズーミングに際して移動する２つ以上のレンズ群から構成されるズーム部、ズーミングのためには移動しない、最も像側に位置する最終レンズ群Ｒを有し、第１レンズ群はフォーカシングのためには移動せず負の屈折力の第１１レンズ群Ｆ１ａ、フォーカシングに際して光軸に沿って移動する第１２レンズ群Ｆ１ｂ、フォーカシングのためには移動しない正の屈折力の第１３レンズ群Ｆ１ｃを有し、第１１レンズ群は凹レンズのみ、１３レンズ群は凸レンズのみで構成され、第１１レンズ群及び第１３レンズ群の屈折力、第１１レンズ群及び第１３レンズ群それぞれの平均アッべ数、第１１レンズ群及び第１３レンズ群の望遠端における近軸換算光線高を適切に設定する。【選択図】図１
2015052781.tif 000002
【特許請求の範囲】
【請求項１】
物体側から像側へ順に、正の屈折力を有する第１レンズ群、ズーミングに際し移動する２つ以上のレンズ群から構成されるズーム部、ズーミングのためには移動しない、最も像側に位置する最終レンズ群を有し、
該第１レンズ群は、フォーカシングのためには移動せず負の屈折力を有する第１１レンズ群、フォーカシングに際して移動する第１２レンズ群、フォーカシングのためには移動せず正の屈折力を有する第１３レンズ群を有し、
該第１１レンズ群は凹レンズのみ、該第１３レンズ群は凸レンズのみで構成され、
前記第１１レンズ群の屈折力をφ11、前記第１３レンズ群の屈折力をφ13、前記第１１レンズ群の平均アッベ数をν11、前記第１３レンズ群の平均アッべ数をν13、前記第１１レンズ群の望遠端における近軸換算光線高をｈ11T、前記第１３レンズ群の望遠端における近軸換算光線高をｈ13Tとする時、
【数１】
2015052781.tif 000009
を満たすことを特徴とするズームレンズ。
【請求項２】
前記第１レンズ群の屈折力をφ１、前記第１２レンズ群の屈折力をφ１２とするとき、
【数２】
2015052781.tif 000010
を満たすことを特徴とする、請求項１に記載のズームレンズ。
【請求項３】
広角端での焦点距離をfw、最大像高をhgtとするとき、
【数３】
2015052781.tif 000011
を満たすことを特徴とする請求項１に記載のズームレンズ。
【請求項４】
請求項１乃至３のいずれか１項に記載のズームレンズと、
該ズームレンズからの被写体光を受光する撮像素子を有するカメラ装置を有する、ことを特徴とする撮像装置。
【発明の詳細な説明】
【技術分野】
【０００１】
本発明は、ズームレンズに関し、特にフォーカス群を３つのユニットで構成し、その中央のユニットを光軸方向に動かすことで合焦するズームレンズ及びそれを有する撮像装置に関するものである。
【背景技術】
【０００２】
従来よりテレビカメラやビデオカメラにおいて、フォーカスによる画界変化を抑制することが求められている。そしてそのために好適なズームレンズのフォーカス方式として、以下に示すフォーカス方式のズームレンズが提案されている。
【０００３】
そのフォーカス方式とは、第１群にフォーカス群を配置し、フォーカス群を３つのユニットで構成し、その中央のユニットを光軸方向に動かすことでフォーカシングするフォーカス方式である。
【０００４】
それと同時にカメラ全体の小型化に伴い、レンズ系の小型化（特にレンズ系の前側の小型化）が求められている。
【０００５】
例えば、特許文献１では物体側より順に正の屈折力の第１群、変倍用の負の屈折力の第２群、変倍に伴う像面変動を補正する第３群、変倍中固定の結像作用を有する第４群で構成される。該第１群は合焦時固定で負の屈折力の第１１群、合焦時に光軸にそって移動する第１２群、合焦時固定で正の屈折力の第１３群で構成される。その場合の第１１から１３群および第１群の焦点距離を適切に設定することで、高い光学性能（特に広角側の歪曲収差改善）を有するズームレンズが開示されている。
【先行技術文献】
【特許文献】
【０００６】
【特許文献１】特開２００１−０２１８０４号公報
【発明の概要】
【発明が解決しようとする課題】
【０００７】
しかしながら、上述の特許文献に開示された従来技術では、特に１０倍以上の高倍率なズームレンズにおいて、各レンズ群単位で色収差を補正することにより、全ズーム域、フォーカス域で高性能を実現しているのが一般的である。例えば、実施例１においては、特に第１１群、第１３群において、各々独立した色収差補正を行うことで、第１レンズ群として発生する色収差を抑制している。しかしながら、各レンズ群で色収差を補正すると、第１レンズ群として構成されるレンズ枚数が増大し、特に第１レンズ群が大型化してしまう。
【０００８】
そこで、本発明の目的は、フォーカスによる画界変化を抑制しながら、構成を簡略化し、小型化することを可能にしたズームレンズを提供することである。
【課題を解決するための手段】
【０００９】
上記目的を達成するために、本発明は、物体側から像側へ順に、正の屈折力を有する第１レンズ群、ズーミングに際し移動する２つ以上のレンズ群から構成されるズーム部、ズーミングのためには移動しない、最も像側に位置する最終レンズ群を有し、該第１レンズ群はフォーカシングのためには移動せず負の屈折力の第１１レンズ群、フォーカシングに際して光軸に沿って移動する第１２レンズ群、フォーカシングのためには移動しない正の屈折力の第１３レンズ群を有し、該第１１レンズ群は凹レンズのみ、該１３レンズ群は凸レンズのみで構成され、前記第１１レンズ群の屈折力をφ11、前記第１３レンズ群の屈折力をφ13、前記第１１レンズ群の平均アッベ数をν11、前記第１３レンズ群の平均アッべ数をν13、前記第１１レンズ群の望遠端における近軸換算光線高をｈ11T、前記第１３レンズ群の望遠端における近軸換算光線高をｈ13Tとする時、
【数１】
2015052781.tif 000003
を満たすことを特徴とする。
【発明の効果】
【００１０】
本発明によれば、３群インナーフォーカス方式を採用しながら、第１レンズ群の構成を簡略化し、小型化することを可能にしたズームレンズを提供することができる。
【図面の簡単な説明】
【００１１】
【図１】本発明の数値実施例１の広角端でフォーカス無限時のレンズ断面図。
【図２】本発明の数値実施例１の物体距離2.5mに合焦のときの、（Ａ）広角端、（Ｂ）望遠端の収差図である。
【図３】本発明の数値実施例２の広角端でフォーカス無限時のレンズ断面図。
【図４】本発明の数値実施例２の物体距離2.5mに合焦のときの、（Ａ）広角端、（Ｂ）望遠端の収差図である。
【図５】本発明の数値実施例３の広角端でフォーカス無限時のレンズ断面図。
【図６】本発明の数値実施例３の物体距離2.5mに合焦のときの、（Ａ）広角端、（Ｂ）望遠端の収差図である。
【発明を実施するための形態】
【００１２】
以下に、本発明の好ましい実施の形態を、添付の図面に基づいて詳細に説明する。
【００１３】
図１は、本発明の実施形態に係る代表的なレンズ断面図である。本実施形態のズームレンズは、物体側から順に、正の屈折力を有しズーミングのためには光軸方向に移動しない前玉レンズ群である第１レンズ群Ｆ、ズーム部、絞りＳＰ、正の屈折力を有しズーミングのためには光軸方向に移動しない結像作用を有するリレー群である最終レンズ群Ｒを有する。最終レンズ群は、ズームレンズを構成するレンズ群のうち、最も像側に位置するレンズ群である。図１中には、本発明のズームレンズが接続されるカメラ装置内に構成される、色分解プリズムや光学フィルターを示すガラスブロックＰや撮像素子の撮像面Ｉも示され、ズームレンズからの被写体光は撮像素子で受光され、本発明のズームレンズとカメラ装置とで撮像装置を構成する。
【００１４】
第１レンズ群Ｆは、物体側から順に、フォーカシングのためには光軸方向に移動しないＦ１ａレンズ群（第１１レンズ群）と、フォーカシングに際して光軸方向に移動するＦ１ｂレンズ群（第１２レンズ群）、フォーカシングのためには光軸方向に移動しないＦ１ｃレンズ群（第１３レンズ群）から構成される。
【００１５】
ズーム部は、物体側から順にズーミングに際して移動する負の屈折力を有するバリエータレンズ群Ｖと、負の屈折力を有するコンペンセータレンズ群Ｃとから構成される。バリエータレンズ群Ｖは、光軸上を像面側へ単調に移動することにより、広角端から望遠端へのズーミングを行う。コンペンセータレンズ群Ｃは、ズーミングに伴う像面変動を補正するために光軸上を非直線的に移動する。
【００１６】
Ｆ１ａレンズ群（第１１レンズ群）は負レンズ（凹レンズ）のみで構成される。Ｆ１ｃレンズ群（第１３レンズ群）は正レンズ（凸レンズ）のみで構成される。それぞれ、負レンズのみ、正レンズのみであるため、各レンズ群単体でみると色収差が発生している。しかし、Ｆ１ａレンズ群とＦ１ｃレンズ群の間で逆の色収差が発生するため、第１レンズ群全体では良好に色収差が補正される。
【００１７】
本発明のズームレンズは、Ｆ１ａレンズ群（第１１レンズ群）の屈折力をφ11、Ｆ１ｃレンズ群（第１３レンズ群）の屈折力をφ13、Ｆ１ａレンズ群（第１１レンズ群）の平均アッベ数をν11、Ｆ１ｃレンズ群（第１３レンズ群）の平均アッべ数をν13、Ｆ１ａレンズ群（第１１レンズ群）の望遠端における近軸換算光線高（望遠端近軸換算光線高）をｈ11T、Ｆ１ｃレンズ群（第１３レンズ群）の望遠端における近軸換算光線高（望遠端近軸換算光線高）をｈ13Tとする時、
【数２】
2015052781.tif 000004
を満たす。条件式（１）は第１レンズ群内の第１１群（Ｆ１ａレンズ群）および第１３群（Ｆ１ｃレンズ群）の色収差打ち消し条件から導かれる関係式である。この下限条件が満たされないと、特にテレ端において、e線に対して像側（オーバー側）にｇ線が結像する軸上色収差が大きくなってしまう。また、上限の条件が満たされないと、特にテレ端において、e線に対して物体側（アンダー側）にｇ線が結像する軸上色収差が大きくなってしまう。
【００１８】
本発明のズームレンズは、第１レンズ群の屈折力をφ1、第１２レンズ群の屈折力をφ12とする時、
【数３】
2015052781.tif 000005
を満たす。条件式（２）は第１レンズ群（第１レンズ群Ｆ）に対する第１２レンズ群（Ｆ１ｂレンズ群）の屈折力の比であり、フォーカス可動群である第１２レンズ群（Ｆ１ｂレンズ群）の繰り出し量につながる式である。この上限の条件が満たされないと、Ｆ１ｂレンズ群の屈折力が強くなりすぎるため、フォーカシングによる収差変動が大きくなってしまう。また、下限の条件が満たされないと、Ｆ１ｂレンズ群の屈折力が弱くなりすぎるため、合焦時の光軸方向の移動量が大きくなり、第１レンズ群が大型化してしまう。
【００１９】
本発明のズームレンズは、広角端での焦点距離をfw、最大像高をhgtとする時、
【数４】
2015052781.tif 000006
を満たす。条件式（３）は広角端の焦点距離を規定する式である。一般に広角端焦点距離が短くなると、３群インナーフォーカス方式における第１レンズ群内の各サブレンズ群の屈折力が強くなる。この下限の条件が満たされないと第１レンズ群内の各サブレンズ群の屈折力が強くなりすぎるため、歪曲収差などが増大する。また、上限の条件が満たされないと第１レンズ群内の各サブレンズ群の屈折力が弱くなりすぎるため、３群インナーフォーカス方式のフォーカス時画角変化抑制効果が減少してしまう。
【実施例１】
【００２０】
以下、図１、図２を参照して、本発明の第１の実施例による、ズームレンズについて説明する。主なレンズ群構成は前述のとおりである。  本実施例における第１レンズ群は、第１面〜第１７面に対応し、第１面〜第４面のＦ１ａレンズ群、第５面〜第１０面のＦ１ｂレンズ群、第１１面〜第１６面のＦ１ｃレンズ群からなる。Ｆ１ａレンズ群は負レンズのみで構成される。Ｆ１ｃレンズ群は正レンズのみで構成される。それぞれ、負レンズのみ、正レンズのみであるため、各レンズ群単体でみると色収差補正がされていない。しかし、Ｆ１ａレンズ群とＦ１ｃレンズ群の間で逆の色収差が発生するため、第１レンズ群全体で見ると良好に色収差が補正される。
【００２１】
本実施例における式（１）の値は-0.535である。ここで、式（１）中の近軸換算光線高とは、レンズ全系の広角端焦点距離で正規化し、広角端におけるレンズ第１面入射光線高を１とした時の近軸追跡値である。また、ここで「光線」とは、軸上光線のうち、光軸から最も遠い位置を通る光線のことをいう。また、ここで「レンズ群の近軸換算光線高」とは、レンズ群におけるレンズ面のうち、最も物体側のレンズ面における近軸換算光線高のことをいう。本実施例における式（１）の値は範囲の下限を満たしている。そのため、特にテレ端において、e線に対して像側（オーバー側）にｇ線が結像する軸上色収差が良好に抑えられている。また、本実施例における式（２）の値は0.246であり、式（２）の上限、下限値を満たしている。そのためフォーカス時に光軸方向に移動するＦ１ｂレンズ群の可動量が良好に制御され、収差変動を抑えながら、第１レンズ群の大型化を抑制している。また、本実施例における式（３）の値は1.409であり、式（３）の上限値を満たしている。そのため、ズームレンズの焦点範囲が望遠側に偏らず、第１レンズ群内の各サブレンズ群が十分な屈折力を持つことで、３群インナーフォーカス方式のフォーカスによる画界変化が抑制されている。
【００２２】
図２に本実施例における縦収差を示す。（A）が広角端、（B）が望遠端である。（A）、（B）ともに物体距離2.5mにおける縦収差図である。条件式（１）乃至（３）を満たしているため、特に軸上色収差において良好に補正されている。
【実施例２】
【００２３】
以下、図３、図４を参照して、本発明の第２の実施例による、ズームレンズについて説明する。主なレンズ群構成は上述の実施例１と同様である。図３に本実施例における広角端で物体距離無限遠時のレンズ断面図を示す。Ｆ１ａレンズ群は負レンズのみで構成される。Ｆ１ｃレンズ群は正レンズのみで構成される。それぞれ、負レンズのみ、正レンズのみであるため、各サブレンズ群単体でみると色収差が発生している。しかし、Ｆ１ａレンズ群とＦ１ｃレンズ群の間で逆の色収差が発生するため、第１レンズ群全体で見ると良好に色収差が補正される。
【００２４】
本実施例における式（１）の値は-0.526であり、式（１）の範囲の上限を満たしている。そのため、特にテレ端において、e線に対して物体側（アンダー側）にｇ線が結像する軸上色収差が抑制されている。また、本実施例における式（２）の値は0.268であり、式（２）の上限、下限値を満たしている。そのため、そのためフォーカス時に光軸方向に移動するＦ１ｂレンズ群の可動量が良好に制御され、収差変動を抑えながら、第１レンズ群の大型化を抑制している。また、本実施例における式（３）の値は1.281であり、式（３）の下限値を満たしている。そのため、ズームレンズの焦点範囲が広角側に偏らず、第１レンズ群内の各サブレンズ群の屈折力が強すぎないため、歪曲収差などが良好に抑えられている。
【００２５】
図４に本実施例における縦収差を示す。（A）が広角端、（B）が望遠端である。（A）、（B）ともに物体距離2.5mにおける縦収差図である。条件式（１）乃至（３）を満たしているため、軸上色収差において良好に補正されている。
【実施例３】
【００２６】
以下、図５、図６を参照して、本発明の第３の実施例による、ズームレンズについて説明する。主なレンズ群構成は上述の実施例１と同様である。図５に本実施例における広角端で物体距離無限遠時のレンズ断面図を示す。Ｆ１ａレンズ群は負レンズのみで構成される。Ｆ１ｃレンズ群は正レンズのみで構成される。それぞれ、負レンズのみ、正レンズのみであるため、各サブレンズ群単体でみると色収差が発生している。しかし、Ｆ１ａレンズ群とＦ１ｃレンズ群の間で逆の色収差が発生するため、第１レンズ群全体で見ると良好に色収差が補正される。
【００２７】
本実施例における式（１）の値は-0.596であり、式（１）の範囲の下限を満たしている。そのため、特にテレ端において、e線に対して物体側（アンダー側）にｇ線が結像する軸上色収差が抑制されている。また、本実施例における式（２）の値は0.237であり、式（２）の上限、下限値を満たしている。そのため、そのためフォーカス時に光軸方向に移動するＦ１ｂレンズ群の可動量が良好に制御され、収差変動を抑えながら、第１レンズ群の大型化を抑制している。また、本実施例における式（３）の値は1.409であり、式（３）の上限値を満たしている。そのため、ズームレンズの焦点範囲が広角側に偏らず、第１レンズ群内の各サブレンズ群の屈折力が強すぎないため、歪曲収差などが良好に抑えられている。
【００２８】
図６に本実施例における縦収差を示す。図６の（Ａ）が広角端、（Ｂ）が望遠端における縦収差である。図６の（Ａ）、（Ｂ）ともに物体距離2.5mにおける縦収差図である。条件式（１）乃至（３）を満たしているため、軸上色収差において良好に補正されている。
【００２９】
以上、本発明の好ましい実施形態について説明したが、本発明はこれらの実施形態に限定されず、その要旨の範囲内で種々の変形及び変更が可能である。例えば、本発明においては、第１レンズ群に非球面を導入していないが、球面収差、像面湾曲、歪曲など諸収差を抑制する効果があることは言うまでもない。
【００３０】
以下、表１に本実施例における条件式（１）乃至（３）に関連する各数値および対応する数値を示す。
【００３１】
【表１】
2015052781.tif 000007
【００３２】
以下に本発明の実施例１、２、３に対応する数値実施例１、２、３を示す。各数値実施例において、ｉは物体側からの面の順序を示し、ｒiは物体側より第ｉ番目の面の曲率半径、ｄiは物体側より第ｉ番目と第ｉ＋１番目の間隔、Ｎdi，νdiは第ｉ番目の光学部材の屈折率とアッベ数である。最後の３つの面は、フィルター等のガラスブロックである。
【００３３】
非球面形状は光軸方向にＸ軸、光軸と垂直方向にＨ軸、光の進行方向を正とし、Ｒを近軸曲率半径、ｋを円錐常数、Ａ3、Ａ4、Ａ5、Ａ6、Ａ7、Ａ8、Ａ9、Ａ10、Ａ11、Ａ12をそれぞれ非球面係数としたとき、次式で表している。
【００３４】
【数５】
2015052781.tif 000008
又、例えば「ｅ−Ｚ」は「×１０-Z」を意味する。＊印は非球面であることを示している。
【００３５】
（数値実施例１）
単位 mm
面データ
面番号       ri       di     ndi        vdi
1      -4582.019    3.12   1.77250    49.6           
2        285.861    7.94                             
3       -291.035    2.90   1.64000    60.1           
4        163.670    5.06                             
5        384.779    4.53   1.59240    68.3           
6      -3148.795    0.15                             
7        301.105    2.60   1.80518    25.4           
8        108.596    0.13                             
9        109.985   17.48   1.43387    95.1           
10       -143.309   16.99                             
11        153.806    9.85   1.43387    95.1           
12       -219.325    0.15                             
13         98.446    9.74   1.43387    95.1           
14      -1360.889    0.15                             
15         60.321    9.00   1.59240    68.3           
16        162.713  (可変)                             
17*       361.700    1.00   1.88300    40.8           
18         15.330    5.44                             
19        -91.257    6.22   1.80809    22.8           
20        -13.763    0.75   1.81600    46.6           
21         38.647    0.15                             
22*        27.098    5.67   1.56732    42.8           
23        -29.387    2.34                             
24        -15.582    0.75   1.88300    40.8           
25        -26.648  (可変)                             
26        -29.548    0.75   1.81600    46.6           
27         66.816    4.02   1.92286    21.3           
28       -339.887  (可変)                             
29(絞り)    ∞       1.30                             
30       -146.687    4.40   1.67003    47.2           
31        -29.728    0.14                             
32         62.326    2.32   1.51823    58.9           
33        149.762    0.16                             
34         42.430    6.99   1.48749    70.2           
35        -42.419    1.15   1.88300    40.8           
36       1125.326  (可変)                             
37         50.594    5.53   1.48749    70.2           
38        -90.635    0.36                             
39         43.081    1.00   1.88300    40.8           
40         16.130    6.47   1.50127    56.5           
41         40.000    0.50                             
42         31.955    8.14   1.50127    56.5           
43        -25.916    1.00   1.88300    40.8           
44         84.109    2.28                             
45         44.649    8.10   1.51633    64.1           
46        -28.738    4.50                             
47          ∞      33.00   1.60859    46.4           
48          ∞      13.20   1.51633    64.2           
49          ∞     (可変)                             
像面        ∞   
非球面データ
第17面
K =-1.42317e+003  A 4= 2.42691e-005  A 6= 2.07125e-008  A 8=-2.99279e-010  A10= 1.82448e-012  A12=-5.10871e-015  
A 3=-1.70244e-005  A 5=-8.87838e-007  A 7= 3.54916e-009  A 9=-2.03856e-011  A11= 6.48534e-014  
第22面
K = 1.16467e+000  A 4= 4.03194e-010  A 6=-6.72369e-008  A 8=-6.80698e-010  A10=-1.01218e-012  A12= 6.22703e-014  
A 3= 1.52428e-005  A 5= 6.95654e-007  A 7= 3.41581e-009  A 9= 1.26150e-010  A11=-1.04016e-012  
各種データ
ズーム比     20.51 
焦点距離       7.75   158.92  
Fナンバー      1.97     2.69  
画角          35.37     1.98  
像高           5.50     5.50  
レンズ全長   304.60   304.60  
BF            42.24    42.24  
d16            2.54    53.69  
d25           52.94     5.33  
d28            4.85     1.30  
d36           35.30    35.30  
d53            8.57     8.57  
レンズ群データ
群  始面    焦点距離  
1    1      63.05  
2   17     -13.32  
3   26     -43.25  
4   29      37.95  
5   37      54.43  
【００３６】
（数値実施例２）
単位 mm
面データ
面番号       ri       di     ndi        vdi
1       1194.450    3.12   1.77250    49.6           
2        112.481   13.49                             
3       -334.782    2.90   1.65160    58.5           
4        301.055    1.97                             
5        441.900    5.05   1.59240    68.3           
6       -842.408    0.15                             
7        209.957    2.60   1.80518    25.4           
8         93.895    0.01                             
9         94.932   16.05   1.43387    95.1           
10       -183.219   13.52                             
11        132.762   10.02   1.49700    81.5           
12       -285.489    0.15                             
13        100.470    9.07   1.49700    81.5           
14      -2554.965    0.15                             
15         68.389    7.17   1.59240    68.3           
16        175.995  (可変)                             
17*       107.958    1.00   1.88300    40.8           
18         14.421    6.54                             
19       -296.369    6.09   1.80809    22.8           
20        -16.279    0.75   1.81600    46.6           
21         30.719    0.15                             
22*        22.301    5.08   1.56732    42.8           
23        -93.933    1.98                             
24        -21.871    0.75   1.88300    40.8           
25        -30.039  (可変)                             
26        -23.373    0.75   1.81600    46.6           
27         42.703    5.60   1.92286    21.3           
28       -458.479  (可変)                             
29(絞り)    ∞       2.61                             
30        -55.114    3.56   1.67003    47.2           
31        -26.632    0.14                             
32        351.716    2.93   1.51823    58.9           
33        -80.871    0.16                             
34         29.912    7.86   1.48749    70.2           
35        -55.456    1.15   1.88300    40.8           
36        160.247  (可変)                             
37         44.613    4.71   1.48749    70.2           
38       -111.831    0.36                             
39         50.873    1.00   1.88300    40.8           
40         16.238    5.29   1.50127    56.5           
41         39.243    0.50                             
42         25.828    8.61   1.50127    56.5           
43        -26.295    1.00   1.88300    40.8           
44         90.978    2.28                             
45         37.565    5.80   1.51633    64.1           
46        -36.614    4.50                             
47          ∞      33.00   1.60859    46.4           
48          ∞      13.20   1.51633    64.2           
49          ∞     (可変)                             
像面        ∞   
非球面データ
第17面
K =-7.63987e+001  A 4= 2.62542e-005  A 6=-1.13423e-007  A 8= 1.10827e-009  A10= 5.14167e-012  A12=-5.10871e-015  
A 3=-2.77621e-005  A 5=-7.26026e-007  A 7= 7.26327e-009  A 9=-1.52458e-010  A11= 7.03323e-014  
第22面
K = 1.11886e+000  A 4=-1.31685e-005  A 6=-1.29506e-007  A 8=-5.69300e-010  A10=-9.29069e-012  A12= 6.22703e-014  
A 3= 9.95598e-006  A 5= 1.85904e-007  A 7= 4.01663e-009  A 9= 2.18516e-010  A11=-1.19397e-012  
各種データ
ズーム比     20.51 
焦点距離       7.05   144.55  
Fナンバー      1.96     2.66  
画角          37.97     2.18  
像高           5.50     5.50  
レンズ全長   300.15   300.15  
BF            42.47    42.47  
d16            2.54    57.90  
d25           52.94     1.27  
d28            4.85     1.16  
d36           35.30    35.30  
d49            8.80     8.80  
レンズ群データ
群  始面    焦点距離  
1    1      64.11  
2   17     -14.96  
3   26     -33.16  
4   29      35.87  
5   37      54.20  
【００３７】
（数値実施例３）
単位 mm
面データ
面番号       ri       di     ndi        vdi
1        618.272    3.12   1.77250    49.6           
2        268.195    9.22                             
3       -243.963    2.90   1.72916    54.7           
4        165.206    4.69                             
5        377.223    3.99   1.59240    68.3           
6       3039.845    0.15                             
7        311.245    2.60   1.80518    25.4           
8        109.887    0.14                             
9        111.310   18.71   1.43387    95.1           
10       -126.977   17.14                             
11        153.621   10.69   1.43387    95.1           
12       -221.326    0.15                             
13        102.545    9.38   1.43387    95.1           
14      -1316.484    0.15                             
15         60.755    9.18   1.59240    68.3           
16        176.800  (可変)                             
17*       361.700    1.00   1.88300    40.8           
18         14.966    5.21                             
19       -118.039    6.26   1.80809    22.8           
20        -13.699    0.75   1.81600    46.6           
21         39.355    0.15                             
22*        26.603    5.93   1.56732    42.8           
23        -25.968    1.60                             
24        -16.283    0.75   1.88300    40.8           
25        -33.075  (可変)                             
26        -29.385    0.75   1.81600    46.6           
27         66.924    3.35   1.92286    21.3           
28       -319.994  (可変)                             
29(絞り)    ∞       1.30                             
30       -122.588    4.44   1.67003    47.2           
31        -28.009    0.14                             
32         49.505    2.66   1.51823    58.9           
33        131.912    0.16                             
34         62.202    6.63   1.48749    70.2           
35        -34.332    1.15   1.88300    40.8           
36       -284.953  (可変)                             
37         59.025    5.85   1.48749    70.2           
38        -63.677    0.36                             
39         47.640    1.00   1.88300    40.8           
40         16.573    6.34   1.50127    56.5           
41         40.000    0.50                             
42         30.068    8.38   1.50127    56.5           
43        -27.100    1.00   1.88300    40.8           
44         81.336    2.28                             
45         43.574    6.86   1.51633    64.1           
46        -30.581    4.50                             
47          ∞      33.00   1.60859    46.4           
48          ∞      13.20   1.51633    64.2           
49          ∞     (可変)                             
像面        ∞   
非球面データ
第17面
K =-1.42317e+003  A 4= 2.42691e-005  A 6= 2.07125e-008  A 8=-2.99279e-010  A10= 1.82448e-012  A12=-5.10871e-015  
A 3=-1.70244e-005  A 5=-8.87838e-007  A 7= 3.54916e-009  A 9=-2.03856e-011  A11= 6.48534e-014  
第22面
K = 1.16467e+000  A 4= 4.03194e-010  A 6=-6.72369e-008  A 8=-6.80698e-010  A10=-1.01218e-012  A12= 6.22703e-014  
A 3= 1.52428e-005  A 5= 6.95654e-007  A 7= 3.41581e-009  A 9= 1.26150e-010  A11=-1.04016e-012  
各種データ
ズーム比     20.51 
焦点距離       7.75   158.92
Fナンバー      1.97     2.69
画角          35.37     1.98 
像高           5.50     5.50
レンズ全長   322.62   322.62
BF             8.57     8.57 
d20            2.65    53.80
d29           53.55     5.94
d32            4.85     1.30
d40           35.30    35.30
d53            8.57     8.57 
レンズ群データ
群  始面    焦点距離  
1    1      63.05  
2   21     -13.32  
3   30     -43.25  
4   33      37.95  
5   41      54.46
【符号の説明】
【００３８】
Ｆ  第１レンズ群
Ｖ  バリエータレンズ群（ズーム部）
Ｃ  コンペンセータレンズ群（ズーム部）
Ｒ  最終レンズ群（リレーレンズ群）
【図１】
2015052781.tif 000012
【図２】
2015052781.tif 000013
【図３】
2015052781.tif 000014
【図４】
2015052781.tif 000015
【図５】
2015052781.tif 000016
【図６】
2015052781.tif 000017